(57)【要約】【課題】造影剤が必要な蛍光撮影の動作確認を適切に行うことが可能な模型眼、および眼科撮影装置の動作確認方法を提供する。【解決手段】模型眼１は擬似眼底部３を備える。擬似眼底部３は、人眼の眼底に対応する。擬似眼底部３には蛍光部３０が設けられている。蛍光部３０は、人眼の眼底の蛍光撮影に用いられる蛍光物質を蛍光させる波長の撮影光で蛍光する物質によって形成されている。蛍光部３０は、インドシアニングリーンを蛍光させる波長の撮影光で蛍光する物質によって形成されたＩＣＧＡ用蛍光部３２を含む。【選択図】図１
2020049079.tif 000002
【特許請求の範囲】
【請求項１】
人眼の眼底に対応する擬似眼底部と、
前記擬似眼底部に設けられ、人眼の眼底の蛍光撮影に用いられる蛍光物質を蛍光させる波長の撮影光で蛍光する物質によって形成された蛍光部と、
を備え、
前記蛍光部は、インドシアニングリーンを蛍光させる波長の前記撮影光で蛍光する物質によって形成されたＩＣＧＡ用蛍光部を含むことを特徴とする模型眼。
【請求項２】
請求項１に記載の模型眼であって、
前記蛍光部は、フルオレセインを蛍光させる波長の前記撮影光で蛍光する物質によって形成されたＦＡ用蛍光部を含むことを特徴とする模型眼。
【請求項３】
請求項１または２に記載の模型眼であって、
前記蛍光部の少なくともいずれかは、前記撮影光を出射する眼科撮影装置による撮影画角に応じて、前記模型眼の光軸からの距離が異なる複数の位置の各々に形成された複数の画角対応蛍光部を含むことを特徴とする模型眼。
【請求項４】
請求項１または２に記載の模型眼であって、
前記蛍光部の少なくともいずれかは、人眼の眼底血管の形状を模した血管対応蛍光部を含むことを特徴とする模型眼。
【請求項５】
請求項１から４のいずれかに記載の模型眼であって、
前記蛍光部の少なくともいずれかは、蛍光する樹脂材料を有機溶剤に溶解させて成形させた後、固化させることで形成されることを特徴とする模型眼。
【請求項６】
請求項１から５のいずれかに記載の模型眼であって、
前記模型眼の光軸上に可変絞りを備えたことを特徴とする模型眼
【請求項７】
請求項１から６のいずれかに記載の模型眼であって、
人眼の屈折力に相当する屈折力を有すると共に、前記撮影光が入射する入射部を備えるレンズ部を備え、
前記擬似眼底部は、前記入射部から入射されて前記レンズ部を通過する前記撮影光の光路上に配置されることを特徴とする模型眼。
【請求項８】
被検眼の組織に撮影光を照射することで組織の画像を撮影する眼科撮影装置の動作確認方法であって、
特定の波長の撮影光で蛍光する物質によって形成された蛍光部を備えた模型眼の擬似眼底部を、前記眼科撮影装置によって撮影する撮影ステップを含み、
前記蛍光部は、インドシアニングリーンを蛍光させる波長の前記撮影光であるＩＣＧＡ用撮影光で蛍光する物質によって形成されたＩＣＧＡ用蛍光部を含み、
前記撮影ステップでは、前記ＩＣＧＡ用撮影光で撮影が行われることを特徴とする眼科撮影装置の動作確認方法。
【請求項９】
請求項８に記載の眼科撮影装置の動作確認方法であって、
前記模型眼の前記蛍光部は、フルオレセインを蛍光させる波長の前記撮影光であるＦＡ用撮影光で蛍光する物質によって形成されたＦＡ用蛍光部を含み、
前記撮影ステップでは、前記ＩＣＧＡ用撮影光による撮影と前記ＦＡ用撮影光による撮影が、同時に、または切り替えて行われることを特徴とする眼科撮影装置の動作確認方法。
【請求項１０】
請求項８または９に記載の眼科撮影装置の動作確認方法であって、
前記撮影ステップによる撮影結果に基づいて、前記眼科撮影装置による撮影条件を調整する調整ステップをさらに含むことを特徴とする眼科撮影装置の動作確認方法。
【発明の詳細な説明】
【技術分野】
【０００１】
本開示は、眼科撮影装置に使用するための模型眼、および、眼科撮影装置の動作確認方法に関する。
【背景技術】
【０００２】
被検眼の組織の画像を撮影するための種々の眼科撮影装置が知られている。例えば、走査型眼科撮影装置は、光を走査させることで被検眼の組織（例えば眼底等）の画像を撮影する。また、可視光および赤外光の少なくともいずれかを被検眼の眼底に照射して撮影を行う眼底カメラも知られている。
【０００３】
眼科撮影装置の動作確認等を行う際に、模型眼を使用することが望ましい場合が多い。例えば、特許文献１に記載の手持型眼科装置載置台は、手持型眼科装置と模型眼の各々を載置する載置部を備える。各載置部に手持型眼科装置および模型眼が載置されることで、動作確認が容易に行われる。
【先行技術文献】
【特許文献】
【０００４】
【特許文献１】特開２０１６−３４３９０号公報
【発明の概要】
【発明が解決しようとする課題】
【０００５】
造影剤が注射された被検者の眼底の蛍光撮影を行うことが可能な眼科撮影装置が知られている。造影剤が必要な蛍光撮影の動作確認を人眼で行う場合には、動作確認を行う毎に被検者に造影剤を注射する必要がある。従って、特に蛍光撮影の動作確認を行う場合には、模型眼が用いられることが望ましい。しかし、従来の模型眼では、蛍光撮影の動作確認を十分に行うことができない場合があった。
【０００６】
本開示の典型的な目的は、造影剤が必要な蛍光撮影の動作確認を適切に行うことが可能な模型眼、および眼科撮影装置の動作確認方法を提供することである。
【課題を解決するための手段】
【０００７】
本開示における典型的な実施形態が提供する模型眼は、人眼の眼底に対応する擬似眼底部と、前記擬似眼底部に設けられ、人眼の眼底の蛍光撮影に用いられる蛍光物質を蛍光させる波長の撮影光で蛍光する物質によって形成された蛍光部と、を備え、前記蛍光部は、インドシアニングリーンを蛍光させる波長の前記撮影光で蛍光する物質によって形成されたＩＣＧＡ用蛍光部を含む。
【０００８】
本開示における典型的な実施形態が提供する眼科撮影装置の動作確認方法は、被検眼の組織に撮影光を照射することで組織の画像を撮影する眼科撮影装置の動作確認方法であって、特定の波長の撮影光で蛍光する物質によって形成された蛍光部を備えた模型眼の擬似眼底部を、前記眼科撮影装置によって撮影する撮影ステップを含み、前記蛍光部は、インドシアニングリーンを蛍光させる波長の前記撮影光であるＩＣＧＡ用撮影光で蛍光する物質によって形成されたＩＣＧＡ用蛍光部を含み、前記撮影ステップでは、前記ＩＣＧＡ用撮影光で撮影が行われる。
【０００９】
本開示に係る模型眼および眼科撮影装置の動作確認方法によると、造影剤が必要な蛍光撮影の動作確認が、より適切に行われる。
【図面の簡単な説明】
【００１０】
【図１】模型眼１の内部構造を示す縦断面図である。
【図２】分解された状態のレンズ部２および擬似眼底部３の左側面図である。
【図３】模型眼１の右半分の構造を示す斜視図である。
【図４】擬似眼底部３に形成された蛍光部３０のうち、ＩＣＧＡ用蛍光部３２のみを前方から見た図である。
【図５】擬似眼底部３に形成された蛍光部３０のうち、ＦＡ用蛍光部３３のみを前方から見た図である。
【図６】血管対応蛍光部４０の一例を示す図である。
【発明を実施するための形態】
【００１１】
＜概要＞
本開示で例示する模型眼は、人眼の眼底に対応する擬似眼底部を備える。擬似眼底部には蛍光部が設けられている。蛍光部は、人眼の眼底の蛍光撮影に用いられる蛍光物質を蛍光させる波長の撮影光で蛍光する物質によって形成される。蛍光部には、インドシアニングリーン（以下、「ＩＣＧ」という場合もある）を蛍光させる波長の撮影光（以下、「ＩＣＧＡ用撮影光」という場合もある）で蛍光する物質によって形成されたＩＣＧＡ用蛍光部が含まれる。
【００１２】
本開示で例示する模型眼の擬似眼底部がＩＧＣＡ用撮影光によって撮影されることで、被検者にＩＣＧ注射剤を注射しなくても、眼科撮影装置によるＩＣＧ蛍光撮影の動作確認が適切に行われる。
【００１３】
なお、ＩＣＧＡ用蛍光部を形成する物質（以下、「ＩＣＧＡ用蛍光物質」という）は適宜選択することが可能である。ここで、ＩＣＧそのものを用いるよりも、ＩＣＧ以外の色素を含む物質（例えば樹脂材料等）がＩＣＧＡ用蛍光物質として用いられることが望ましい。ＩＣＧは、水には溶けるものの、ＩＣＧを溶かした水溶液を用いて模型眼を作ることは比較的困難である。また、ＩＣＧには経時変化し易い性質もある。従って、ＩＣＧ以外の色素を含む物質が、ＩＣＧＡ用蛍光物質として用いられることで、より適切にＩＣＧ蛍光撮影の動作確認が行われる。
【００１４】
蛍光部にはＦＡ用蛍光部が含まれていてもよい。ＦＡ用蛍光部は、フルオレセインを蛍光させる波長の撮影光（以下、「ＦＡ用撮影光」という場合もある）で蛍光する物質によって形成されていてもよい。
【００１５】
この場合、擬似眼底部がＦＡ用撮影光によって撮影されることで、被検者にフルオレセイン注射剤を注射しなくても、眼科撮影装置によるＦＡ蛍光撮影の動作確認が適切に行われる。なお、ＩＣＧＡ用蛍光部とＦＡ用蛍光部が共に擬似眼底部に設けられることで、ＩＣＧＡ蛍光撮影の動作確認とＦＡ蛍光撮影の動作確認が、共に１つの模型眼で適切に実行される。
【００１６】
なお、ＩＣＧＡ用蛍光部とＦＡ用蛍光部は、擬似眼底部のうち、撮影光の光軸方向から見て完全には重複しない位置に別々に設けられていてもよい。この場合、ＩＣＧを蛍光させる波長と、フルオレセインを蛍光させる波長を共に含む撮影光によって、ＩＣＧＡ蛍光撮影とＦＡ蛍光撮影が同時に実行される際にも、両方の蛍光撮影の動作確認が適切に行われる。また、ＩＣＧＡ用蛍光部とＦＡ用蛍光部の位置および形状等が完全に重複していてもよい。この場合、擬似眼底部の構造が簡素化される。
【００１７】
蛍光部の少なくともいずれか（つまり、ＩＣＧＡ用蛍光部およびＦＡ用蛍光部の少なくともいずれか）は、眼科撮影装置による撮影画角に応じて、模型眼の光軸からの距離が異なる複数の位置の各々に形成された複数の画角対応蛍光部を含んでいてもよい。この場合、眼科撮影装置による撮影画角に応じて、複数の画角対応蛍光部に対する撮影光の照射状態が変化する。従って、ユーザは、撮影された蛍光画像に基づいて、眼科撮影装置における撮影画角を適切に確認することができる。
【００１８】
なお、蛍光部としてＩＣＧＡ用蛍光部とＦＡ用蛍光部を共に用いる場合、画角対応蛍光部は、ＩＣＧＡ用蛍光部およびＦＡ用蛍光部の両方に含まれていてもよいし、一方にのみ含まれていてもよい。
【００１９】
蛍光部の少なくともいずれか（つまり、ＩＣＧＡ用蛍光部およびＦＡ用蛍光部の少なくともいずれか）は、人眼の眼底血管の形状を模した血管対応蛍光部を含んでいてもよい。この場合、眼科撮影装置による蛍光撮影の動画が正常であれば、人眼の眼底画像に近似した画像が撮影される。よって、ユーザは、通常の眼底画像を確認する場合と同様の感覚で、眼科撮影装置の動作確認を行うことができる。
【００２０】
なお、蛍光部としてＩＣＧＡ用蛍光部とＦＡ用蛍光部を共に用いる場合、血管対応蛍光部は、ＩＣＧＡ用蛍光部およびＦＡ用蛍光部の両方に含まれていてもよいし、一方にのみ含まれていてもよい。
【００２１】
蛍光部の少なくともいずれか（つまり、ＩＣＧＡ用蛍光部およびＦＡ用蛍光部の少なくともいずれか）は、蛍光する樹脂材料を有機溶剤に溶解させて成形させた後、固化させることで形成されてもよい。この場合、種々の形状の蛍光部が容易に形成される。
【００２２】
なお、蛍光樹脂材料には、無色の樹脂（例えばＰＭＭＡ等）が添加されていてもよい。この場合、蛍光強度が無色の樹脂によって適切に調整される。また、蛍光樹脂材料を成形するための具体的な方法は、適宜選択できる。例えば、擬似眼底部のうちレンズ部の入射部側を向く位置に、溝が形成されていてもよい。この場合、溶解された蛍光樹脂材料が、溝に流し込まれた後に固化されることで、適切な形状の蛍光部が容易に形成される。また、溶解された蛍光樹脂材料が、適切な形状に描画されて成形されてもよい。蛍光樹脂材料を描画する場合には、印刷機（例えばインクジェットプリンタ等）が使用されてもよい。
【００２３】
蛍光部の具体的な形成方法を変更することも可能である。例えば、固体の蛍光樹脂材料を加熱して融解させた状態で、予め製造された金型に流し込んで冷却することで、蛍光部の少なくともいずれかを形成してもよい。また、固体の蛍光樹脂材料を加熱して融解させ、飴状になった物質を紡績することで、蛍光部の少なくともいずれかを形成してもよい。また、蛍光物質を基材上に転写させることで、蛍光部の少なくともいずれかを形成してもよい。広範囲に成形された蛍光物質の一部を、エッチングによって除去、または、遮光部材でマスクすることで、適切な形状の蛍光部が形成されてもよい。撮影光を透過させる管に、液状の蛍光物質を流し込み、管の形状を成形することで、蛍光部が形成されてもよい。
【００２４】
なお、蛍光部としてＩＣＧＡ用蛍光部とＦＡ用蛍光部を共に用いる場合、ＩＣＧＡ用蛍光部の形成方法とＦＡ用蛍光部の形成方法は同一でもよいし、異なっていてもよい。
【００２５】
模型眼の光軸上に可変絞りが設けられていてもよい。人眼の瞳孔の大きさは、被検眼および撮影環境等によって変化する。眼科撮影装置の動作確認を行う場合、瞳孔の大きさが変化しても適切に撮影が行われるかどうかを確認したい場合もある。可変絞りが設けられている場合、ユーザは、瞳孔の大きさが変化する場合の眼科撮影装置の動作を、可変絞りを用いて擬似的に確認することができる。
【００２６】
模型眼は、レンズ部をさらに備えていてもよい。レンズ部は、人眼の屈折力に相当する屈折力を有すると共に、撮影光が入射する入射部を備える。擬似眼底部は、入射部から入射されてレンズ部を通過する撮影光の光路上に配置されていてもよい。この場合、人眼の眼底を撮影する状況により近い状況で、模型眼を用いた眼科撮影装置の動作確認が行われる。
【００２７】
本開示で例示する眼科撮影装置の動作確認方法は、特定の波長の撮影光で蛍光する物質によって形成された蛍光部を備えた模型眼の擬似眼底部を、眼科撮影装置によって撮影する撮影ステップを含む。蛍光部は、インドシアニングリーンを蛍光させる波長のＩＣＧＡ用撮影光で蛍光する物質によって形成されたＩＣＧＡ用蛍光部を含む。撮影ステップでは、ＩＣＧＡ用撮影光で撮影が行われる。この場合、被検者にＩＣＧ注射剤を注射しなくても、眼科撮影装置によるＩＣＧ蛍光撮影の動作確認が適切に行われる。
【００２８】
模型眼の蛍光部には、ＦＡ用蛍光部が含まれていてもよい。ＦＡ用蛍光部は、フルオレセインを蛍光させる波長のＦＡ用撮影光で蛍光する物質によって形成されている。撮影ステップでは、ＩＣＧＡ用撮影光による撮影とＦＡ用撮影光による撮影が、同時に、または切り替えて行われてもよい。この場合、１つの眼科撮影装置によるＩＣＧＡ蛍光撮影の動作確認とＦＡ蛍光撮影の動作確認が、共に１つの模型眼で適切に実行される。
【００２９】
眼科撮影装置の動作確認方法には、調整ステップが含まれていてもよい。調整ステップでは、撮影ステップによる撮影結果に基づいて、眼科撮影装置による撮影条件が調整（キャリブレーション）されてもよい。この場合、模型眼の撮影結果に基づいて、眼科撮影装置による撮影条件が適切に調整される。なお、調整ステップでは、種々の撮影条件（例えば、蛍光撮影光の光量、撮影素子のゲイン等の少なくともいずれか）を適宜調整することが可能である。
【００３０】
＜実施形態＞
以下、本開示に係る典型的な実施形態の１つについて、図面を参照して説明する。なお、以下の説明では、図１および図２における左側を模型眼１の前側とし、図１および図２における右側を模型眼１の後側とする。図１および図２における紙面手前側を模型眼１の左側とし、図１および図２における紙面奥側を模型眼１の右側とする。図１および図２における上側および下側を、模型眼１の上側および下側とする。また、図３における紙面左下側および紙面右上側を、模型眼１の前側および後側とする。図３における紙面右下側および紙面左上側を、模型眼１の左側および右側とする。図３における紙面上側および下側を、模型眼１の上側および下側とする。
【００３１】
図１に示すように、本実施形態の模型眼１は、レンズ部２、擬似眼底部３、可変絞り５、および筐体６を備える。レンズ部２は、人眼の屈折力に相当する屈折力を有し、眼科撮影装置から出射される撮影光を擬似眼底部３に向けて通過させる。擬似眼底部３は、人眼の眼底に対応する。可変絞り５は、模型眼１の光軸（本実施形態ではレンズ部２の光軸）Ｏ上に位置する開口の大きさを変化させる。筐体６は、レンズ部２、擬似眼底部３、および可変絞り５を保持する。以下、各構成について詳細に説明する。
【００３２】
レンズ部２は、レンズ部本体２１および入射部２４を備える。本実施形態では、レンズ部本体２１および入射部２４を含むレンズ部２の全体が、透明な樹脂によって一体成型されている。しかし、分離された複数の部材によってレンズ部が形成されていてもよい。レンズ部２の一部（例えば、レンズ部本体の内部）に空間が形成されていてもよい。レンズ部２を形成する材質は適宜選択できる。一例として、本実施形態のレンズ部２の材質には、透明なポリメタクリル酸メチル（ＰＭＭＡ）が採用されている。
【００３３】
本実施形態では、レンズ部本体２１の前側は、軸が模型眼１の光軸Ｏに一致する円柱状に形成されている。レンズ部本体２１の後側は、人眼の眼底の形状に極力対応するように、略半球状に形成されている。また、入射部２４の後側は、軸が模型眼１の光軸Ｏに一致する円柱状に形成されている。入射部２４の前側表面の形状は、人眼の角膜の形状に極力対応するように、球面に沿った形状に形成されている。つまり、入射部２４は人眼の角膜に対応する。レンズ部２を光軸Ｏに沿って見た場合に、レンズ部本体２１の径は、入射部２４の径よりも大きい。
【００３４】
眼科撮影装置から出射された撮影光は、入射部２４における前側表面からレンズ部２内に入射し、入射部２４およびレンズ部本体２１の内部を通過して、擬似眼底部３に照射される。つまり、擬似眼底部３は、レンズ部２を通過する撮影光の光路上に設けられている。また、擬似眼底部３からの光（例えば、撮影光の反射光、および、撮影光が照射されることで発生した蛍光等）は、レンズ部本体２１および入射部２４を通過して、入射部２４の前側表面から眼科撮影装置へ出射される。
【００３５】
擬似眼底部３の外形は、略半球型のドーム形状である。図１に示すように、擬似眼底部３の内側の球面３１は、レンズ部２における後側の球面に一致する。図２に示すように、擬似眼底部３は、レンズ部２におけるレンズ部本体２１に後側から嵌め込まれる。また、図１および図３に示すように、擬似眼底部３のうちレンズ部２の入射部２４側を向く位置（つまり、本実施形態では擬似眼底部３の内側の球面３１）には、蛍光部３０が設けられている。蛍光部３０は、人眼の眼底の蛍光撮影に用いられる蛍光物質を蛍光させる波長の撮影光で蛍光する物質によって形成されている。蛍光部３０の詳細については後述する。
【００３６】
可変絞り５は、図３に示すように、模型眼１の光軸Ｏ上に位置する開口５２の大きさを変化させる。本実施形態の可変絞り５は、レンズ部２よりも前側に配置されている。可変絞り５の開口５２の中心は、模型眼１の光軸Ｏに一致する。本実施形態の可変絞り５は絞り調整部５１を備える。絞り調整部５１がユーザによって回転されることで、開口５２の大きさが調整される。ユーザは、人眼の瞳孔が変化する場合の眼科撮影装置の動作を、可変絞り５を用いて擬似的に確認することができる。
【００３７】
なお、可変絞り５の構成を変更することも可能である。可変絞り５が設けられる位置は、レンズ２よりも前側である必要は無い。例えば、レンズ部２の入射部２４と、擬似眼底部３の内側の球面３１との間に空間が設けられている場合には、入射部２４と球面３１の間に可変絞りが設けられていてもよい。
【００３８】
筐体６は、各構成を収容する空間を内部に備える。本実施形態の筐体２の外形は、一例として略立方体形状である。本実施形態の筐体６は、前側筐体６１と後側筐体６４を備える。前側筐体６１の前側には、レンズ部２の入射部２２の径と同じ径を有する開口部６２が形成されている。模型眼１が製造される場合、まず、前側筐体６１の開口部６２に、レンズ部２の入射部２２が後方から嵌めこまれる。次いで、レンズ部２のレンズ本体２１に、擬似眼底部３が後方から嵌めこまれる。次いで、前側筐体６１に後側筐体６４が後方から嵌めこまれて固定される。以上の作業よりも前または後に、前側筐体６１の前側に、可変絞り５が装着される。
【００３９】
図１および図３〜図５を参照して、蛍光部３０について詳細に説明する。前述したように、本実施形態の蛍光部３０は、擬似眼底部３の内側の球面３１に設けられている。本実施形態の蛍光部３０には、ＩＣＧＡ用蛍光部３２とＦＡ用蛍光部３３が含まれる。
【００４０】
ＩＣＧＡ用蛍光部３２は、インドシアニングリーン（ＩＣＧ）を蛍光させる波長（本実施形態では７９０ｎｍ）の撮影光（以下、「ＩＣＧＡ用撮影光」という）で蛍光する物質によって形成されている。従って、ＩＣＧＡ用蛍光部３２がＩＣＧＡ用撮影光によって撮影されることで、眼科撮影装置によるＩＣＧ蛍光撮影の動作確認が適切に行われる。
【００４１】
本実施形態では、ＩＣＧＡ用撮影光で蛍光するＩＣＧＡ用蛍光物質には、経時変化し易いＩＣＧそのものではなく、ＩＣＧ以外の色素を含む物質が用いられている。一例として、本実施形態におけるＩＣＧＡ用蛍光物質には、ＤＩＣ株式会社製の物質が採用されている（例えば特開２０１７−７２５４５号公報参照）。
【００４２】
本実施形態におけるＩＣＧＡ用蛍光部３２の形成方法について説明する。まず、ＩＣＧと同等の蛍光特性を示す色素を含有した樹脂製（本実施形態ではＰＭＭＡ製）のペレットに、無色の樹脂製（本実施形態ではＰＭＭＡ製）のペレットが添加されることで、蛍光強度が適切な強度に調整される。次いで、ペレットを有機溶媒に溶解させる。有機溶媒には、種々の溶媒（例えば、クロロホルム、アセトン、またはＴＨＦ等）を使用することができる。本実施形態では、溶解の速度が速く、且つ溶媒の量が少量で済むクロロホルムが採用されている。
【００４３】
次いで、有機溶媒に溶解された状態の樹脂材料を成形した後、有機溶媒を乾燥させて樹脂材料を固化させる。本実施形態では、擬似眼底部３の内側の球面の所定位置に、溝３９が形成されている。作業者は、溶解された樹脂材料を溝３９に流し込むことで、樹脂材料を成形する。
【００４４】
ＦＡ用蛍光部３３は、フルオレセインを蛍光させる波長（本実施形態では４８８ｎｍ）の撮影光（以下、「ＦＡ用撮影光」という）で蛍光する物質によって形成されている。従って、ＦＡ用蛍光部３３がＦＡ用撮影光によって撮影されることで、眼科撮影装置によるＦＡ蛍光撮影の動作確認が適切に行われる。一例として、本実施形態におけるＦＡ用蛍光部３３には、アクリル系の蛍光色素が使用されている。
【００４５】
本実施形態におけるＦＡ用蛍光部３３の形成方法について説明する。まず、フルオレセインと同等の蛍光特性を示す色素を含有した樹脂製（本実施形態ではＰＭＭＡ製）のペレットに、無色の樹脂製（本実施形態ではＰＭＭＡ製）のペレットが添加されることで、蛍光強度が適切な強度に調整される。次いで、ペレットを有機溶媒に溶解させる。有機溶媒には、ＩＣＧＡ用蛍光部３２と同様に種々の溶媒（例えばクロロホルム等）を使用することができる。次いで、有機溶媒に溶解された状態の樹脂材料を成形した後、有機溶媒を乾燥させて樹脂材料を固化させる。本実施形態では、ＩＣＧＡ用蛍光部３２と同様に、擬似眼底部３の溝３９に樹脂材料が流し込まれることで、ＦＡ用蛍光部３３が形成される。
【００４６】
図４および図５を参照して、本実施形態における蛍光部３０（ＩＣＧＡ用蛍光部３２およびＦＡ用蛍光部３３）の具体的な配置について詳細に説明する。図４は、擬似眼底部３に形成された蛍光部３０のうち、ＩＣＧＡ用蛍光部３２のみを示す正面図である。また、図５は、擬似眼底部３に形成された蛍光部３０のうち、ＦＡ用蛍光部３３のみを示す正面図である。
【００４７】
図４および図５に示すように、本実施形態のＩＣＧＡ用蛍光部３２およびＦＡ用蛍光部３３は、擬似眼底部３のうち、撮影光の光軸方向（つまり正面側）から見て完全には重複しない位置に別々に設けられている。詳細には、擬似眼底部３を正面側から見た場合に、ＩＣＧＡ用蛍光部３２は擬似眼底部３の左上および右下に配置され、ＦＡ用蛍光部３３は擬似眼底部の右上および左下に配置されている。従って、ＩＣＧＡ蛍光撮影とＦＡ蛍光撮影が同時に実行される場合でも、両方の蛍光撮影の動作確認が適切に行われる。
【００４８】
図４に示すように、ＩＣＧＡ用蛍光部３２は、眼科撮影装置による撮影画角に応じて、擬似眼底部３のうちレンズ部２の光軸Ｏからの距離が異なる複数の位置の各々に形成された複数の画角対応蛍光部３２Ａ〜３２Ｆを含む。詳細には、画角対応蛍光部３２Ａは、撮影画角が２０度である場合の撮影範囲の外周と一致する。画角対応蛍光部３２Ｂは、撮影画角が４０度である場合の撮影範囲の外周と一致する。画角対応蛍光部３２Ｃは、撮影画角が６０度である場合の撮影範囲の外周と一致する。画角対応蛍光部３２Ｄは、撮影画角が８０度である場合の撮影範囲の外周と一致する。画角対応蛍光部３２Ｅは、撮影画角が１００度である場合の撮影範囲の外周と一致する。画角対応蛍光部３２Ｆは、撮影画角が１１０度である場合の撮影範囲の外周と一致する。
【００４９】
また、図５に示すように、ＦＡ用蛍光部３３もＩＣＧＡ用蛍光部３２と同様に、複数の画角対応蛍光部３３Ａ〜３３Ｆを含む。複数の画角対応蛍光部３３Ａ〜３３Ｆの各々と、撮影画角に応じて変化する撮影範囲の外周との対応関係は、ＩＣＧＡ用蛍光部３２における対応関係と同じである。ユーザは、画角対応蛍光部３２Ａ〜３２Ｆ，３３Ａ〜３３Ｆが撮影された蛍光画像に基づいて、眼科撮影装置における撮影画角を適切に確認することができる。
【００５０】
なお、画角対応蛍光部３２Ａ〜３２Ｆ，３３Ａ〜３３Ｆの具体的な構成を変更することも可能である。例えば、画角対応蛍光部は、対応する撮影画角を示す数字および目盛りの少なくともいずれかの形状に形成されていてもよい。
【００５１】
以上説明したように、本実施形態の模型眼１は、ＩＣＧＡ用蛍光部３２とＦＡ用蛍光部３３を共に備える。従って、ユーザは、ＩＣＧＡ蛍光撮影とＦＡ用蛍光撮影を共に実行することが可能な眼科撮影装置（例えば、ＳＬＯ装置または眼底カメラ）の動作確認を行う場合にも、本実施形態の模型眼１を用いることができる。また、模型眼１は、他の眼科撮影装置１（例えばＯＣＴ装置等）の動作確認を行う際にも使用されてもよい。なお、ＩＣＧＡ蛍光撮影とＦＡ用蛍光撮影の一方のみを実行することが可能な眼科撮影装置の動作確認にも、本実施形態の模型眼１を使用できることは言うまでもない。
【００５２】
次に、本実施形態における眼科撮影装置の動作確認方法について説明する。本実施形態における動作確認方法は、撮影工程および調整工程を含む。
【００５３】
撮影工程では、蛍光部３０を備えた模型眼１の擬似眼底部３が、眼科撮影装置（例えばＳＬＯ装置）によって撮影される。ここで、前述したように、模型眼１の蛍光部３０には、ＩＣＧＡ用蛍光部３２とＦＡ用蛍光部３３が共に含まれる。本実施形態の撮影工程では、ＩＣＧＡ用撮影光による撮影とＦＡ用撮影光による撮影が、同時に、または切り替えて行われる。従って、１つの眼科撮影装置によるＩＣＧＡ蛍光撮影の動作確認とＦＡ蛍光撮影の動作確認が、共に１つの模型眼１で適切に実行される。また、眼科撮影装置の画角も適切に確認される。ただし、ＩＣＧＡ蛍光撮影の動作確認とＦＡ蛍光撮影の動作確認の一方のみが行われてもよいことは言うまでもない。
【００５４】
調整工程では、撮影工程による撮影結果（例えば、撮影された画像の輝度値等）に基づいて、眼科撮影装置による撮影条件（例えば、撮影光の光量、および、撮影素子のゲイン等の少なくともいずれか）が調整される。本実施形態では、ＩＣＧＡ蛍光撮影の結果に基づいて、ＩＣＧＡ蛍光撮影の撮影条件が調整され、ＦＡ蛍光撮影の結果に基づいて、ＦＡ蛍光撮影の撮影条件が調整される。
【００５５】
上記実施形態で開示された技術は一例に過ぎない。従って、上記実施形態で例示された技術を変更することも可能である。ここで、図６を参照して、蛍光部の変形例について説明する。図６に示す模擬眼底部３には、血管対応蛍光部４０が形成されている。血管対応蛍光部４０は、人眼の眼底構造（特に眼底血管）の形状を模して形成された蛍光部である。従って、眼科撮影装置による蛍光撮影の動作が正常であれば、人眼の眼底の蛍光画像に近似した蛍光画像が撮影される。
【００５６】
また、上記実施形態で例示された複数の技術の一部のみを実施することも可能である。例えば、上記実施形態の蛍光部３０には、ＩＣＧＡ用蛍光部３２とＦＡ用蛍光部３３が共に含まれる。しかし、蛍光部３０にはＩＣＧＡ用蛍光部３２のみが含まれていてもよい。また、模型眼は、ＩＣＧＡ用蛍光部３２を備えずに、画角対応蛍光部３３Ａ〜３３ＦであるＦＡ用蛍光部３３のみを備えていてもよい。この場合、模型眼は以下のように表現することもできる。人眼の屈折力に相当する屈折力を有すると共に、眼科撮影装置から出射された撮影光が入射する入射部を備えるレンズ部と、前記入射部から入射されて前記レンズ部を通過する前記撮影光の光路上に配置され、人眼の眼底に対応する擬似眼底部と、を備え、前記擬似眼底部のうち少なくとも前記入射部側を向く位置に、人眼の眼底の蛍光撮影に用いられる蛍光物質を蛍光させる波長の前記撮影光で蛍光する物質によって形成された蛍光部を備え、前記蛍光部の少なくともいずれかは、前記眼科撮影装置による撮影画角に応じて、前記擬似眼底部のうち前記レンズ部の光軸からの距離が異なる複数の位置の各々に形成された複数の画角対応蛍光部を含む。
【符号の説明】
【００５７】
１    模型眼
２    レンズ部
３    擬似眼底部
５    可変絞り
２２    入射部
３０    蛍光部
３２    ＩＣＧＡ用蛍光部
３３    ＦＡ用蛍光部
３２Ａ〜３２Ｆ，３３Ａ〜３３Ｆ    画角対応蛍光部
４０    血管対応蛍光部
【図１】
2020049079.tif 000003
【図２】
2020049079.tif 000004
【図３】
2020049079.tif 000005
【図４】
2020049079.tif 000006
【図５】
2020049079.tif 000007
【図６】
2020049079.tif 000008